(57)【要約】【課題】認識率の低下を招くことなく簡単に電子ファイルの内容を確認することができるインデックス画像作成装置及び方法を提供する。【解決手段】ステップＳ１４において、特定ページか否かを判定し、特定ページであればステップＳ１６において、大きめの縮小サイズを求め、特定ページでなければステップＳ１８において小さめの縮小サイズを求め、ステップＳ２０においてそれぞれのサイズでページを縮小し、インデックス画像を作成する。【選択図】図４
2005217703.tif 000002
【特許請求の範囲】
【請求項１】
複数ページに渡る画像データを、予め特定された特定ページと他のページとで画像の縮小サイズが異なるように縮小する縮小手段と、この縮小手段により縮小されたインデックス画像を所定位置に貼り付ける貼付け手段と、この貼付け手段によりインデックス画像が貼り付けられた画像を出力する出力手段とを有することを特徴とするインデックス画像作成装置。
【請求項２】
特定ページを指定する特定ページ指定手段をさらに有することを特徴とする請求項１記載のインデックス画像作成装置。
【請求項３】
特定ページのページ数を指定する特定ページ数指定手段をさらに有することを特徴とする請求項１又は２記載のインデックス画像作成装置。
【請求項４】
前記縮小手段により縮小すべき最大ページ数を指定する最大ページ数指定手段をさらに有することを特徴とする請求項１乃至３いずれか記載のインデックス画像作成装置。
【請求項５】
縮小すべき最大ページ数を指定する最大ページ数指定手段と、複数ページに渡る画像データを、前記最大ページ数指定手段で指定されたページ範囲内で縮小する縮小手段と、この縮小手段により縮小されたインデックス画像を新たなページに貼り付ける貼付け手段と、この貼付け手段によりインデックス画像が貼り付けられた画像を出力する出力手段とを有することを特徴とするインデックス画像作成装置。
【請求項６】
複数ページに渡る画像データを、予め特定された特定ページと他のページとで画像の縮小サイズが異なるように縮小し、縮小されたインデックス画像を新たなページに貼り付け、インデックス画像が貼り付けられた画像を出力する出力することを特徴とするインデックス画像作成方法。
【請求項７】
複数ページに渡る画像データを、予め指定されたページ範囲内で縮小し、縮小されたインデックス画像を新たなページに貼り付け、インデックス画像が貼り付けられた画像を出力することを特徴とするインデックス画像作成方法。
【発明の詳細な説明】
【技術分野】
【０００１】
本発明は、インデックス画像を作成する装置及び方法に関するものである。
【背景技術】
【０００２】
画像データ蓄積手段に蓄積された画像データを検索し、検索された画像データを縮小し、インデックス表示させることは公知である（特許文献１）。また、例えばハードディスクのような記憶装置にファイルとして記憶された電子ファイルを各ページ毎に縮小し、縮小されたインデックス画像を印刷することも公知である（特許文献２）。インデックス表示する画面に空きができると無駄であるから、縮小画像の大きさと配列を最適に制御することも知られている（特許文献３）。さらにインデックス表示された画像の大きさを任意に変えられるようにしたものも知られている（特許文献４）。
【０００３】
【特許文献１】特開平６−２８２５８１号公報
【特許文献２】特開平１１−１８０００５号公報
【特許文献３】特開平１０−６５９０１号公報
【特許文献４】特開２０００−７６２７１号公報
【発明の開示】
【発明が解決しようとする課題】
【０００４】
インデックス表示あるいは印刷は、目的の電子ファイルを探したり、内容を確認したりする目的で行われる。ところが、上記従来例においては、基本的には電子ファイルの各ページを一律に扱い、一律に表示あるいは印刷しており、これでは、インデックス表示あるいは印刷した者は、全ての縮小画像を一律にチェックしなければならない。このため、例えば電子ファイルの先頭ページの画像のみを縮小することが考えられるが、先頭ページのみでは中身が分からなかったり、総枚数が分からないという問題を生じる。
【０００５】
本発明の目的は、認識率の低下を招くことなく簡単に電子ファイルの内容を確認することができるインデックス画像作成装置及び方法を提供することにある。
【課題を解決するための手段】
【０００６】
本発明の第１の特徴とするところは、複数ページに渡る画像データを、予め特定された特定ページと他のページとで画像の縮小サイズが異なるように縮小する縮小手段と、この縮小手段により縮小されたインデックス画像を所定位置に貼り付ける貼付け手段と、この貼付け手段によりインデックス画像が貼り付けられた画像を出力する出力手段とを有するインデックス画像作成装置にある。したがって、特定ページ又は他のページの画像を大きく出力することができるので、簡単にファイルの内容を認識することができる。
ここで、ファイルとは、画像が電子的に割り当てられているものをいい、ハードディスク等の記憶手段に記憶されている記憶ファイルやホストコンピュータから送られるジョブファイルを含む。また、出力手段は、ディスプレイ等の表示装置に出力したり、プリンタ、ファクシミリ等の画像形成装置に出力したりするものを含む。
【０００７】
好ましくは、特定ページを指定する特定ページ指定手段をさらに有する。特定ページは、先頭ページであってもよいし、その他のページであってもよい。
【０００８】
また、好ましくは、特定ページのページ数を指定する特定ページ数指定手段をさらに有する。特定ページのページ数は、先頭ページからのページ数であってもよいし、任意のページからのページ数であってもよい。したがって、指定したページ数の特定ページを他のページと異なる縮小サイズで出力することができるので、さらに簡単にファイルの内容を認識することができる。
【０００９】
また、好ましくは、前記縮小手段により縮小すべき最大ページ数を指定する最大ページ数指定手段をさらに有する。したがって、指定した最大ページ数までの画像のみをインデックス画像として出力することができるので、さらに簡単にファイルの内容を認識することができる。
【００１０】
本発明の第２の特徴とするところは、縮小すべき最大ページ数を指定する最大ページ数指定手段と、複数ページに渡る画像データを、前記最大ページ数指定手段で指定されたページ範囲内で縮小する縮小手段と、この縮小手段により縮小されたインデックス画像を新たなページに貼り付ける貼付け手段と、この貼付け手段によりインデックス画像が貼り付けられた画像を出力する出力手段とを有するインデックス画像作成装置にある。したがって、指定した最大ページ数までの画像をインデックス画像として出力することができるので、簡単にファイルの内容を認識することができる。
【００１１】
本発明の第３の特徴とするところは、複数ページに渡る画像データを、予め特定された特定ページと他のページとで画像の縮小サイズが異なるように縮小し、縮小されたインデックス画像を新たなページに貼り付け、インデックス画像が貼り付けられた画像を出力する出力するインデックス画像作成方法にある。
【００１２】
本発明の第４の特徴とするところは、複数ページに渡る画像データを、予め指定されたページ範囲内で縮小し、縮小されたインデックス画像を新たなページに貼り付け、インデックス画像が貼り付けられた画像を出力するインデックス画像作成方法にある。
【発明を実施するための最良の形態】
【００１３】
次に本発明の実施形態について説明する。
図１において、画像形成装置１０は例えばプリンタ機能と複写機能とを併せ持つカラー用のもので、印刷部１２、原稿読取装置１４及び画像処理装置１５とを有する。印刷部１２は、例えばゼログラフィ方式のもので、シートが積載された給紙トレイ１６を有し、この給紙トレイ１６からシート搬送路２０に供給されたシートに画像を形成するようになっている。画像処理装置１５は、原稿読取装置１４からの画像データを受け付けると共に、ネットワーク等を介してホストコンピュータ１８からの画像データを受け付ける。
【００１４】
印刷部１２は、感光体２２と、この感光体２２を一様に帯電する帯電器２４と、この帯電器２４により一様に帯電された感光体２２に潜像を形成する露光装置２６と、この露光装置２６により形成された感光体２２上の潜像をトナーで可視化する現像装置２８と、この現像装置２８により形成されたトナー像を中間転写ベルト３０に転写する一次転写装置３２と、感光体２２に残ったトナーをクリーニングする感光体クリーナ３４とを有する。露光装置２６は、例えばレーザ走査方式のもので、後述する原稿読取装置１４の読取センサ５８で読み取った原稿の画像をレーザのオンオフ信号に変えて出力する。現像装置２８は、例えばロータリ式のもので、Ｙ，Ｍ，Ｃ，Ｋ４色の現像器３６ａ，３６ｂ，３６ｃ，３６ｄが周囲に配置され、各色を現像するときに感光体２２に対峙するよう回転する。一次転写装置３２は例えばコロトロンから構成され、この転写装置３２により４色のトナー像が中間転写ベルト３０に転写される。中間転写ベルト３０に転写されたトナー像は、二次転写装置３８によりシートに転写され、このシートが定着装置４０に送られ、この定着装置４０によりトナー像がシートに定着され、このトナー像が定着されたシートが排出トレイ４２に排出される。中間転写ベルト３０に残ったトナーは中間転写ベルトクリーナ４４により掻き落される。
【００１５】
シート搬送路２０には、レジストロール４６が配置されている。このレジストロール４６は、供給されたシートを一時停止させ、中間転写ベルト３０にトナー像が形成されるタイミングと同期してシートを二次転写装置３８にシートを供給するように制御される。
【００１６】
原稿読取装置１４は、原稿を光学的に読み取る光学系４８と、自動原稿送り装置５０とを有する。
光学系４８は、原稿に光を照射するランプ５２と、原稿からの光を反射する反射ミラー５４ａ，５４ｂ，５４ｃと、この反射ミラー５４ａ〜５４ｃからの光を収束させるレンズ５６と、このレンズ５６により収束した光を読み取る読取センサ５８とを有する。読取センサ５８は例えばＣＣＤから構成されている。この光学系４８は、反射ミラー５４ａ〜５４ｃ等を端部付近に設けられた読取部固定して自動原稿送り装置５０により送られた原稿を流し読みする機能と、反射ミラー５４ａ〜５４ｃ等を走査して原稿台ガラス６０上に載置された原稿を読み取る機能とを備えている。
【００１７】
自動原稿送り装置５０は、多数の原稿が載置される原稿載置台６２と、原稿を搬送する原稿搬送路６４と、画像を読み取った後の原稿が排出される排出台６６とを有する。
【００１８】
図２において、画像処理装置１５の詳細が示されている。画像処理装置１５は、データバス６８を有し、このデータバス６８にジョブ受付部７０、画像メモリ７２、出力インターフェイス７４、ハードディスク７６、ＣＰＵ７８、通信インターフェイス８０等が接続されている。ジョブ受付部７０は、画像読取装置１４及びホストコンピュータ１８に接続され、ジョブとして送られるファイルを受け付ける。このジョブ受付部７０に受け付けられたジョブファイルは、そのままあるいは圧縮されてハードディスク７６に格納される。このハードディスク７６からファイルが取り出されると、圧縮されたものであれば復号されてファイルを構成する各ページの画像が作成され、出力インターフェイス７４を介して印刷部１２に送られ、あるいは通信インターフェイス８０を介して送信される。
【００１９】
上記画像処理装置１５は、例えばディスク７６に蓄積されたファイルの画像データを縮小してインデックス画像を作成し、印刷部１２にインデックス画像を印刷する機能を有する。図３において、インデックス印刷モードを表示する画面８２が示されている。このインデックス印刷モード画面８２は、画像形成装置１０又はホストコンピュータ１８のユーザインターフェイス（表示操作装置）に表示される。
【００２０】
インデックス印刷モード画面８２には、「大きく表示するページ」（特定ページ）の部分に表示開始ページ設定部８４と表示終了ページ設定部８６とが設けられている。表示開始ページ設定部８４は、開始ページを表示する開始ページ表示部８８と、開始ページ変更ボタン９０ａ，９０ｂとから構成され、この開始ページ変更ボタン９０ａ，９０ｂをマウス等によりクリックすると、開始ページの変更設定がなされると共に、その結果が開始ページ表示部８８に表示される。また、表示終了ページ設定部８６は、終了ページを表示する終了ページ表示部９２と、終了ページ変更ボタン９４ａ，９４ｂとから構成され、この終了ページ変更ボタン９４a，９４ｂをマウス等によりクリックすると、終了ページの変更設定がなされると共に、その結果が終了ページ表示部９２に表示される。
【００２１】
また、インデックス印刷モード画面８２には、「表示する総ページ」の部分に総ページ設定部９６と全ページ設定部９８とが設けられている。総ページ設定部９６は、総ページ数を表示する総ページ表示部１００と、総ページ数変更ボタン１０２ａ，１０２ｂとから構成され、この総ページ数変更ボタン１０２ａ，１０２ｂをマウス等によりクリックすると、総ページ数の変更設定がなされると共に、その結果が総ページ表示部８８に表示される。また、この総ページ設定部９６と全ページ設定部９８には、切替設定部１０４ａ，１０４ｂが設けられ、この切替設定部１０４ａ，１０４ｂをマウス等でクリックすることにより総ページ数設定か全ページ設定かを切り替えることができる。
【００２２】
さらに、インデックス印刷モード画面８２には、戻りボタン１０６とＯＫボタン１０８とが設けられている。戻りボタン１０６をクリックすると、印刷モードの基本画面に戻る。ＯＫボタン１０８をクリックすると、このインデックス印刷モード画面８２で設定した内容が確定する。
【００２３】
図４において、インデックス印刷を行う場合の制御フローが示されている。ステップＳ１０において、まず前述したハードディスク（ＨＤＤ）７６の記憶領域から指定されたファイルのファイル情報を読み出す。ここで、ハードディスク７６に記憶されている画像データが圧縮データであればその画像データを伸長する。次のステップＳ１２においては、ステップＳ１０で読み出されたファイルの画像データ毎にページを作成する。次のステップＳ１４においては、前述した表示開始ページ設定部８４と表示終了ページ設定部８６とにより設定した特定ページであるか否かを判定する。
【００２４】
ステップＳ１４において、特定ページであると判定された場合は、ステップＳ１６に進み、大きめの縮小サイズを求める。一方、特定ページではないと判定された場合は、Ｓ１８に進み、小さめの縮小サイズを求める。ステップＳ１６，１８の処理を終了すると、次のステップＳ２０に進み、ステップＳ１４で作成したページをステップＳ１６，１８で求めた縮小サイズに縮小する。即ち、ステップＳ１４で作成したページが特定ページであれば特定ページ以外よりも大きいサイズに縮小する。
【００２５】
次のステップＳ２２においては、前述した総ページ設定部９６又は全ページ設定部９８により指定したページ数に達したか否かを判定する。このステップＳ２２において、指定したページ数に達したと判定された場合は、ステップＳ２６に進み、指定したページ数に達していないと判定された場合はステップＳ２４へ進む。ステップＳ２４においては、１つのファイルにページ有るか否かを判定する。ページが有る場合はステップＳ１２に戻り、ステップＳ２４で指定されたページに達するまでステップＳ１２〜Ｓ２４までの処理を繰り返す。ステップＳ２６においては、他に処理すべきファイルが有るか否かを判定し、ファイルがあると判定された場合は、ステップＳ１０に戻り、処理すべきファイルが無くなるまでステップＳ１０〜Ｓ２６の処理を繰り返す。ステップＳ２６において、処理すべきファイルが無いと判定された場合は、次のステップＳ２８に進み、インデックス画像をそれぞれ所定の位置に貼り付け、処理を終了する。
【００２６】
図５において、上述した制御フローに基づいて画像形成装置により出力した結果を示す。図５（ａ）は、処理すべきファイルが２であり、特定ページを１ページとし、表示する総ページ数を７とした場合を示す。ハードディスク７６に記憶されているファイル１及びファイル２の総枚数からファイル表示の横にはファイル１及びファイル２のそれぞれの総枚数が印刷されている。ファイル１は、総枚数が例えば４枚であり、表示する総ページ数よりも少ないので、１ページが大きく印刷され、残りの３ページが小さく印刷されるのに対し、ファイル２は、総枚数が１０枚であり、表示する総ページ数以上であるから、１ページが大きく印刷され、残りの６ページのみが小さく印刷され、印刷枚数を制限することができるものである。
【００２７】
図５（ｂ）は、特定ページを先頭から２ページまでとし、表示する総ページを４とした場合を示す。先頭から２ページまでが大きく印刷され、残りが小さく印刷される。図５（ｃ）は、特定ページを２ページとし、表示する総ページを６とした場合を示す。
なお、表示する総ページ数は、インデックス画像を貼り付ける領域の大きさに応じて自動計算することができる。
また、上記実施形態においては、複数のファイルを１枚のページにインデックス印刷しているが、他の実施形態としてファイル毎にページを変えることもできる。
さらに、上記実施形態においては、インデックス画像を印刷しているが、ディスプレイ等に表示するだけでもよいし、一度ディスプレイ等に表示し、確認後に印刷するようにしていもよい。
【産業上の利用可能性】
【００２８】
以上述べたように、本発明は、デジタル複写機、ファクシミリ等の画像形成装置やコンピュータ等の情報処理装置において、インデックス画像を出力する場合に利用することができるものである。
【図面の簡単な説明】
【００２９】
【図１】本発明の実施形態に係る画像形成装置を示す側面図である。
【図２】本発明の実施形態に係る画像形成装置に用いた画像処理装置を示すブロック図である。
【図３】本発明の実施形態に係る画像形成装置又はホストコンピュータのユーザインターフェイスに表示されるインデックス印刷モード画面を示す図である。
【図４】本発明の実施形態の制御フローを示すフローチャートである。
【図５】本発明の実施形態のインデックス印刷結果を示す図である。
【符号の説明】
【００３０】
１０  画像形成装置
１２  画像形成部
１４  画像読取装置
１５  画像処理装置
１８  ホストコンピュータ
８２  インデックス印刷モード画面
８４  表示開始ページ設定部
８６  表示終了ページ設定部
９６  総ページ設定部
９８  全ページ設定部
【図１】
2005217703.tif 000003
【図２】
2005217703.tif 000004
【図３】
2005217703.tif 000005
【図４】
2005217703.tif 000006
【図５】
2005217703.tif 000007